(57)【要約】【課題】利便性を向上可能な情報処理装置、情報処理方法、プログラム及び情報処理システムを提供する。【解決手段】情報処理装置３００は、発行物の各ページに印刷されたページ画像と、ページ画像のそれぞれに対応付けられた、ページ画像のそれぞれに含まれる商品に関する商品情報と、を記憶する記憶部３１０と、撮像部３６０により撮像した発行物の撮像画像とページ画像のそれぞれとを比較して、撮像画像に対応するページ画像を決定し、決定したページ画像に対応付けられた商品情報を表示部３４０に表示する制御部３１０とを備える。【選択図】図１
2017058767.tif 000002
【特許請求の範囲】
【請求項１】
発行物の各ページに印刷されたページ画像と、前記ページ画像のそれぞれに対応付けられた、前記ページ画像のそれぞれに含まれる商品に関する商品情報と、を記憶する記憶部と、
撮像部により撮像した発行物の撮像画像と前記ページ画像のそれぞれとを比較して、前記撮像画像に対応するページ画像を決定し、該決定したページ画像に対応付けられた商品情報を表示部に表示する制御部と
を備える、情報処理装置。
【請求項２】
前記制御部は、ユーザの選択に基づいて、前記商品情報として表示された商品のうち前記選択された商品の詳細商品情報を前記表示部に表示する、請求項１に記載の情報処理装置。
【請求項３】
前記制御部は、ユーザの選択に基づいて、前記商品情報として表示された商品のうち前記選択された商品を選択リストとして前記記憶部に記憶させ、前記ユーザの操作に基づいて、前記選択リストとして記憶された商品を表示部に表示する、請求項１に記載の情報処理装置。
【請求項４】
前記制御部は、当該情報処理装置が、前記選択リストとして記憶された商品を販売している販売店舗から所定の範囲内に含まれることを示す近接情報を報知部から報知する、請求項３に記載の情報処理装置。
【請求項５】
前記制御部は、前記販売店舗に設置されたビーコン装置から取得したビーコン信号に基づき、前記選択リストとして記憶された商品が、前記ビーコン信号を発信した前記ビーコン装置が設置された前記販売店舗で販売されているか否かを判断し、前記選択リストとして記憶された商品が前記販売店舗で販売されていると判断した場合、前記報知を行う、請求項４に記載の情報処理装置。
【請求項６】
情報処理装置により実行される情報処理方法であって、
発行物の各ページに印刷されたページ画像と、前記ページ画像のそれぞれに対応付けられた、前記ページ画像のそれぞれに含まれる商品に関する商品情報とを記憶部に記憶するステップと、
撮像部により発行物の撮像画像を撮像するステップと、
前記撮像画像と前記ページ画像とを比較して、前記撮像画像に対応するページ画像を決定するステップと
前記決定したページ画像に対応付けられた商品情報を表示部に表示するステップと
を含む、情報処理方法。
【請求項７】
サーバ装置と通信可能な情報処理装置に、
発行物の各ページに印刷されたページ画像と、前記ページ画像のそれぞれに対応付けられた、前記ページ画像のそれぞれに含まれる商品に関する商品情報とを記憶部に記憶するステップと、
撮像部により発行物の撮像画像を撮像するステップと、
前記撮像画像と前記ページ画像とを比較して、前記撮像画像に対応するページ画像を決定するステップと
前記決定したページ画像に対応付けられた商品情報を表示部に表示するステップと
を実行させるプログラム。
【請求項８】
相互に通信可能に接続されたサーバ装置と端末装置とを備える情報処理システムであって、
前記サーバ装置は、
発行物の各ページに印刷されたページ画像と、前記ページ画像のそれぞれに対応付けられた、前記ページ画像のそれぞれに含まれる商品に関する商品情報とを記憶するサーバ記憶部と、
前記ページ画像及び前記商品情報を前記端末装置に送信するサーバ通信部と、を備え、
前記端末装置は、
前記サーバ装置が送信した前記ページ画像及び前記商品情報を取得する端末通信部と、
取得した前記ページ画像及び前記商品情報を記憶する端末記憶部と、
発行物の撮像画像を撮像する撮像部と、
前記撮像画像と前記端末記憶部に記憶された前記ページ画像とを比較して、前記撮像画像に対応するページ画像を決定する端末制御部と、
前記決定されたページ画像に対応付けられた商品情報を表示する表示部と、を備える、
情報処理システム。
【請求項９】
前記端末通信部は、前記端末制御部が実行した前記ページ画像の決定処理に関する情報を、前記サーバ装置に送信し、
前記サーバ通信部は、前記端末装置が送信した前記決定処理に関する情報を取得し、
前記サーバ記憶部は、取得した前記決定処理に関する情報を記憶する、
請求項８に記載の情報処理システム。
【請求項１０】
前記表示部は、ユーザの選択に基づいて、前記商品情報として表示された商品のうち前記選択された商品の詳細商品情報を表示し、
前記端末通信部は、前記表示部に前記詳細商品情報を表示する表示処理に関する情報を、前記サーバ装置に送信し、
前記サーバ通信部は、前記端末装置が送信した前記表示処理に関する情報を取得し、
前記サーバ記憶部は、取得した前記表示処理に関する情報を記憶する、
請求項８に記載の情報処理システム。
【請求項１１】
前記端末記憶部は、ユーザの選択に基づいて、前記商品情報として表示された商品のうち前記選択された商品を選択リストとして記憶し、
前記端末通信部は、前記記憶部に前記選択された商品を記憶させる記憶処理に関する情報を、前記サーバ装置に送信し、
前記サーバ通信部は、前記端末装置が送信した前記記憶処理に関する情報を取得し、
前記サーバ記憶部は、取得した前記記憶処理に関する情報を記憶する、
請求項８に記載の情報処理システム。
【請求項１２】
前記サーバ装置は、前記サーバ記憶部が記憶する情報に基づいて分析を行うサーバ制御部を備える、請求項８乃至請求項１０のいずれか一項に記載の情報処理システム。
【発明の詳細な説明】
【技術分野】
【０００１】
本発明は、情報処理装置、情報処理方法、プログラム及び情報処理システムに関する。
【背景技術】
【０００２】
近年、商品を提供する販売者が多様な方法で消費者に商品を提供する方法が提案されており、消費者も多様な方法で商品を購入することができるようになっている。例えば、特許文献１に開示された発明によれば、販売者は、実際に商品を販売する店舗に行くことなく、端末装置を使用して、オンラインで商品を購入することができる。
【先行技術文献】
【特許文献】
【０００３】
【特許文献１】特開２００６−１５５０５２号公報
【発明の概要】
【発明が解決しようとする課題】
【０００４】
このように商品を提供及び購入する手段が多様化する中で、消費者は、様々な情報源から商品に関する情報を得て、多様な手段により商品を購入することができるようになる。ここで、例えば、消費者がある商品についての情報を雑誌等の発行物から得た場合には、どの店舗でその商品を買うことができるかについて、発行物に記載された情報では容易に判断できなかったり、その商品を扱うオンラインのサイトが分からなかったりする場合がある。また、消費者は、発行物に例えば商品の写真等が掲載されているが商品についての情報が何ら記載されていない場合には、商品の情報を得ることすらできない場合がある。このように、特に発行物に記載された商品について、消費者が商品の情報を取得したり、容易に購入方法を知ったりすることができれば、利便性が向上する。
【０００５】
従って、上記のような問題点に鑑みてなされた本発明の目的は、利便性を向上可能な情報処理装置、情報処理方法、プログラム及び情報処理システムを提供することにある。
【課題を解決するための手段】
【０００６】
上述した諸課題を解決すべく、本発明の一実施形態に係る情報処理装置は、
発行物の各ページに印刷されたページ画像と、前記ページ画像のそれぞれに対応付けられた、前記ページ画像のそれぞれに含まれる商品に関する商品情報と、を記憶する記憶部と、
撮像部により撮像した発行物の撮像画像と前記ページ画像のそれぞれとを比較して、前記撮像画像に対応するページ画像を決定し、該決定したページ画像に対応付けられた商品情報を表示部に表示する制御部とを備える。
【０００７】
また、上記情報処理装置において、
前記制御部は、ユーザの選択に基づいて、前記商品情報として表示された商品のうち前記選択された商品の詳細商品情報を前記表示部に表示してもよい。
【０００８】
また、上記情報処理装置において、
前記制御部は、ユーザの選択に基づいて、前記商品情報として表示された商品のうち前記選択された商品を選択リストとして前記記憶部に記憶させ、前記ユーザの操作に基づいて、前記選択リストとして記憶された商品を表示部に表示してもよい。
【０００９】
また、上記情報処理装置において、
前記制御部は、当該情報処理装置が、前記選択リストとして記憶された商品を販売している販売店舗から所定の範囲内に含まれることを示す近接情報を報知部から報知してもよい。
【００１０】
また、上記情報処理装置において、
前記制御部は、前記販売店舗に設置されたビーコン装置から取得したビーコン信号に基づき、前記選択リストとして記憶された商品が、前記ビーコン信号を発信した前記ビーコン装置が設置された前記販売店舗で販売されているか否かを判断し、前記選択リストとして記憶された商品が前記販売店舗で販売されていると判断した場合、前記報知を行ってもよい。
【００１１】
また、本発明の一実施形態に係る情報処理方法は、
情報処理装置により実行される情報処理方法であって、
発行物の各ページに印刷されたページ画像と、前記ページ画像のそれぞれに対応付けられた、前記ページ画像のそれぞれに含まれる商品に関する商品情報とを記憶部に記憶するステップと、
撮像部により発行物の撮像画像を撮像するステップと、
前記撮像画像と前記ページ画像とを比較して、前記撮像画像に対応するページ画像を決定するステップと
前記決定したページ画像に対応付けられた商品情報を表示部に表示するステップと
を含む。
【００１２】
また、本発明の一実施形態に係るプログラムは、
サーバ装置と通信可能な情報処理装置に、
発行物の各ページに印刷されたページ画像と、前記ページ画像のそれぞれに対応付けられた、前記ページ画像のそれぞれに含まれる商品に関する商品情報とを記憶部に記憶するステップと、
撮像部により発行物の撮像画像を撮像するステップと、
前記撮像画像と前記ページ画像とを比較して、前記撮像画像に対応するページ画像を決定するステップと
前記決定したページ画像に対応付けられた商品情報を表示部に表示するステップと
を実行させる。
【００１３】
また、本発明の一実施形態に係る情報処理システムは、
相互に通信可能に接続されたサーバ装置と端末装置とを備える情報処理システムであって、
前記サーバ装置は、
発行物の各ページに印刷されたページ画像と、前記ページ画像のそれぞれに対応付けられた、前記ページ画像のそれぞれに含まれる商品に関する商品情報とを記憶するサーバ記憶部と、
前記ページ画像及び前記商品情報を前記端末装置に送信するサーバ通信部と、を備え、
前記端末装置は、
前記サーバ装置が送信した前記ページ画像及び前記商品情報を取得する端末通信部と、
取得した前記ページ画像及び前記商品情報を記憶する端末記憶部と、
発行物の撮像画像を撮像する撮像部と、
前記撮像画像と前記端末記憶部に記憶された前記ページ画像とを比較して、前記撮像画像に対応するページ画像を決定する端末制御部と、
前記決定されたページ画像に対応付けられた商品情報を表示する表示部と、を備える。
【００１４】
また、上記情報処理システムにおいて、
前記端末通信部は、前記端末制御部が実行した前記ページ画像の決定処理に関する情報を、前記サーバ装置に送信し、
前記サーバ通信部は、前記端末装置が送信した前記決定処理に関する情報を取得し、
前記サーバ記憶部は、取得した前記決定処理に関する情報を記憶してもよい。
【００１５】
また、上記情報処理システムにおいて、
前記表示部は、ユーザの選択に基づいて、前記商品情報として表示された商品のうち前記選択された商品の詳細商品情報を表示し、
前記端末通信部は、前記表示部に前記詳細商品情報を表示する表示処理に関する情報を、前記サーバ装置に送信し、
前記サーバ通信部は、前記端末装置が送信した前記表示処理に関する情報を取得し、
前記サーバ記憶部は、取得した前記表示処理に関する情報を記憶してもよい。
【００１６】
また、上記情報処理システムにおいて、
前記端末記憶部は、ユーザの選択に基づいて、前記商品情報として表示された商品のうち前記選択された商品を選択リストとして記憶し、
前記端末通信部は、前記記憶部に前記選択された商品を記憶させる記憶処理に関する情報を、前記サーバ装置に送信し、
前記サーバ通信部は、前記端末装置が送信した前記記憶処理に関する情報を取得し、
前記サーバ記憶部は、取得した前記記憶処理に関する情報を記憶してもよい。
【００１７】
また、上記情報処理システムにおいて、
前記サーバ装置は、前記サーバ記憶部が記憶する情報に基づいて分析を行うサーバ制御部を備えていてもよい。
【発明の効果】
【００１８】
上記のように構成された本発明に係る情報処理装置、情報処理方法、プログラム及び情報処理システムによれば、利便性を向上可能である。
【図面の簡単な説明】
【００１９】
【図１】本発明の一実施形態に係る情報処理システムの概略的な構成図である。
【図２】ユーザ情報テーブルの一例を模式的に示す図である。
【図３】発行物情報テーブルの一例を模式的に示す図である。
【図４】ビーコンＩＤテーブルの一例を模式的に示す図である。
【図５】端末装置の表示部が表示する商品一覧画面の一例を示す図である。
【図６】端末装置の表示部が表示する詳細情報画面の一例を示す図である。
【図７】端末装置の表示部が表示する選択リスト画面の一例を示す図である。
【図８】図１に示す情報処理システムにおける情報処理の一例を示すシーケンス図である。
【図９】図１の端末装置によるユーザへの報知を実行する処理の一例を示すフローチャートである。
【発明を実施するための形態】
【００２０】
以下、本発明の一実施形態について、図面を参照して詳細に説明する。
【００２１】
図１は、本発明の一実施形態に係る情報処理システムの概略的な構成図である。情報処理システム１００は、サーバ装置２００と、複数の端末装置３００と、ビーコン装置４００とを備える。サーバ装置２００と各端末装置３００とは、例えば、インターネット回線、ＷＡＮ（Wide Area Network）、ＬＡＮ（Local Area Network）等のネットワーク１１０を介して相互に通信可能に接続される。サーバ装置２００は、情報処理システム１００によって所定の商品の情報を提供する提供者が管理及び使用する装置であり、端末装置３００は、情報処理システム１００によって所定の商品の情報を得ようとするユーザ（消費者）がそれぞれ所有する装置である。
【００２２】
本情報処理システム１００において、ユーザは、本情報処理システム１００によって商品の情報を取得するための専用アプリケーションを、自ら所有する端末装置３００に予めインストールする。また、ユーザは、端末装置３００を介して自らの情報を入力し、サーバ装置に送信することによって、サーバ装置２００にユーザ登録を行う。次に、提供者は、発行物を発行する発行者から発行物に掲載する広告に関する情報を取得し、取得した広告に関する情報をサーバ装置２００に登録する。広告に関する情報は、発行物の広告が掲載された各ページに印刷された画像（ページ画像）と、各ページに掲載される商品に関する情報（商品情報）とを含む。商品情報は、各ページ画像に対応付けて登録される。提供者は、発行者が発行物を発行する日に合わせて、専用アプリケーションの最新情報を配信する。提供者は、例えば、発行者が発行物を発行する日と同じ日に、専用アプリケーションの最新情報を配信してもよく、発行者が発行物を発行する日の所定日数前又は発行した所定日数後に専用アプリケーションの最新情報を配信してもよい。なお、専用アプリケーションの最新情報とは、発行者が新たに発行した発行物に関するページ画像及び商品情報を含む。専用アプリケーションの最新情報は、さらに、商品を販売する店舗に関する情報と店舗に設置されたビーコン装置４００のビーコンＩＤとの対応を示す情報（ビーコンＩＤ情報）を含む。つまり、最新情報の配信により、各端末装置３００にインストールされた専用アプリケーションは、新たに発行された発行物に関するページ画像、商品情報及びビーコンＩＤ情報を含むようにアップデートされ、新たに発行された発行物に関するページ画像、商品情報及びビーコンＩＤ情報は端末装置３００に記憶される。
【００２３】
ユーザは、発行者が発行した発行物を閲覧し、発行物の広告に掲載された商品の中から、購入を希望する商品、さらに詳細な情報を閲覧したい商品、又は購入の検討をしたい商品等を発見した場合、当該商品が掲載された発行物のページを、端末装置３００が備える撮像部を使用して撮像する。端末装置３００は、撮像された画像（撮像画像）と、記憶したページ画像とを比較し、撮像画像に対応するページ画像を決定する。そして、端末装置３００は、決定したページ画像に含まれる商品、つまり決定したページ画像に対応付けられた商品の商品情報の概略（概略商品情報）を、端末装置３００の表示部に表示する。概略商品情報は、商品情報のうちの一部の情報をいう。ユーザは、表示部に表示された概略商品情報の画面から、さらに商品の詳細な情報（詳細商品情報）を閲覧したり、商品を購入したり、購入の検討をするためのリスト（選択リスト）に商品を登録したりできる。詳細商品情報は、商品情報の全部又は商品情報のうち概略商品情報よりも多くの情報をいう。また、ユーザの操作に基づいて実行される、概略商品情報の表示、詳細商品情報の表示、商品の購入、選択リストへの登録等の処理は、端末装置３００からサーバ装置２００に送信され、サーバ装置２００にユーザが実行した操作の履歴が記録される。
【００２４】
ビーコン装置４００は、発行物に掲載された商品を販売する店舗にそれぞれ設置される。端末装置３００は、店舗に設置されたビーコン装置４００が発信するビーコン信号を受信し、受信したビーコン信号が、選択リストに登録された商品を販売する店舗に設置されたビーコン装置から発信されたものである場合、報知部から報知を行う。ビーコン信号が選択リストに登録された商品を販売する店舗に設置されたビーコン装置から発信されたものであるか否かの判断は、端末装置３００が、選択リストとビーコンＩＤ情報とを参照して決定する。
【００２５】
以下、本情報処理システム１００について、詳細に説明する。なお、本実施形態では、一例として、発行物が、いわゆるファッション雑誌であるとして、以下説明する。ファッション雑誌の広告には、例えば、衣類、装飾品及び履物等が商品として掲載される。広告には、例えばモデルが着用した状態で商品が掲載されていたり、個別の商品のみが掲載されていたりする。また、商品を着用しているモデルと、モデルが着用している商品そのものの写真が所定のレイアウトで掲載されていてもよい。
【００２６】
サーバ装置２００は、例えばパーソナルコンピュータ等で構成される情報処理装置である。サーバ装置２００は、サーバ制御部２１０と、サーバ通信部２２０と、サーバ記憶部２３０とを備える。サーバ通信部２２０及びサーバ記憶部２３０は、サーバ制御部２１０に接続されている。
【００２７】
サーバ制御部２１０は、サーバ装置２００の各機能ブロックをはじめとして、サーバ装置２００の全体を制御及び管理するプロセッサである。サーバ制御部２１０は、制御手順を規定したプログラムを実行するＣＰＵ（Central Processing Unit）等のプロセッサで構成され、かかるプログラムは、例えばサーバ記憶部２３０又は外部の記憶媒体等に格納される。
【００２８】
サーバ通信部２２０は、ネットワーク１１０と接続することにより各端末装置３００との間でデータの送受信を行う。例えば、サーバ通信部２２０は、端末装置３００から取得した要求に基づいて、専用アプリケーションを実行するためのプログラムを端末装置３００に送信する。また、サーバ通信部２２０は、提供者が指定した所定のタイミング（つまり、専用アプリケーションの最新情報を送信するタイミング）でサーバ記憶部２３０に記憶されたページ画像、商品情報及びビーコンＩＤ情報を端末装置３００に送信する。また、サーバ通信部２２０は、ユーザの操作に基づいて端末装置３００が実行した処理に関する情報を端末装置３００から受信する。
【００２９】
サーバ記憶部２３０は、多様なメモリデバイスを有し、用途に応じてそれぞれ各種情報、例えばサーバ制御部２１０の動作に必要なデータ等を記憶する。また、サーバ記憶部２３０は、ワークメモリとして機能するＲＡＭ（Random Access Memory）等のデバイスも有する。本実施形態において、サーバ記憶部２３０は、ユーザ情報テーブル２３１と、発行物情報テーブル２３２と、ビーコンＩＤテーブル２３３とを有する。
【００３０】
ユーザ情報テーブル２３１は、ユーザに関する情報を記憶する。図２は、ユーザ情報テーブル２３１の一例を模式的に示す図である。サーバ記憶部２３０は、登録されたユーザごとにユーザの情報をユーザ情報テーブル２３１として記憶する。ユーザ情報テーブル２３１は、ユーザがユーザ登録を行った際に作成され、ユーザの操作に基づいて端末装置３００が所定の処理行うたびに、サーバ装置２００によって更新される。
【００３１】
ユーザ情報テーブル２３１には、ユーザに関する情報として、ユーザ識別情報、登録名、生年月日、性別、職業、居住地、端末識別情報、処理履歴及び選択リスト等が記憶される。ユーザ識別情報は、情報処理システム１００を使用するユーザに一意に対応付けられた情報であり、例えば英数字の組合せにより表される。登録名は、例えばユーザが端末装置３００を操作して入力した、ユーザを特定する名称である。生年月日、職業及び居住地は、例えばユーザが端末装置３００を操作して入力した、ユーザの生年月日、職業及び居住地である。生年月日、職業及び居住地は、例えばプルダウンメニューによって表示される複数の選択肢の中からユーザが選択する方式や、ユーザが自由に入力する方式等、任意の方法によって入力される。居住地は、例えば、住所で入力されるものであってもよく、また、都道府県単位又は市区町村単位等のエリアごとに入力されるものであってもよい。また、端末識別情報は、各端末装置３００に一意に対応付けられた情報であり、例えば英数字の組合せにより表される。端末識別情報は、ユーザ情報テーブル２３１として記憶されたユーザが所有する端末装置３００を特定するための情報である。
【００３２】
処理履歴は、ユーザ情報テーブル２３１のユーザが端末装置３００に操作入力を行うことにより端末装置３００において実行された、概略商品情報の表示、詳細商品情報の表示、商品の購入、選択リストへの登録、選択リストからの解除及び選択リストの表示等の処理の履歴である。処理履歴は、選択リストへの登録とは逆の処理である選択リストからの解除の処理も含む。ユーザ情報テーブル２３１は、処理履歴として、各処理について、処理内容、処理対象及び処理日時を記憶する。処理対象として、処理内容が概略商品情報の表示の場合、発行物とページ番号を特定する情報が記憶され、処理内容が詳細商品情報の表示、商品の購入、選択リストへの登録又は選択リストからの解除の場合、商品を特定する情報（つまり商品識別情報）が記憶される。各処理の詳細については後述する。
【００３３】
選択リストは、ユーザによる端末装置３００への操作入力により、選択リストに登録された商品の一覧である。ユーザ情報テーブル２３１は、選択リストとして、登録された各商品について、商品名、商品識別情報、メーカー名及び登録日付を記憶する。商品名は、登録された商品の商品名である。商品識別情報は、商品に一意に対応付けられた情報であり、例えば英数字の組合せにより表される。メーカー名は、商品のメーカー名である。登録日付は、商品が選択リストに登録された日時であり、端末装置３００が行う登録処理の日時に対応する。
【００３４】
発行物情報テーブル２３２は、発行物に関する情報を記憶する。図３は、発行物情報テーブル２３２の一例を模式的に示す図である。サーバ記憶部２３０は、発行される発行物（本実施形態では雑誌）ごとに、発行物に掲載された商品の情報を発行物情報テーブル２３２として記憶する。発行物情報テーブル２３２は、管理者が発行者から取得した情報に基づいてサーバ記憶部２３０に登録する。
【００３５】
発行物情報テーブル２３２には、発行物に関する情報として、商品が掲載される発行物の発行物識別情報、発行物名、発行年月日、及び商品情報が記憶される。発行物識別情報は、発行物に一意に対応付けられた情報であり、例えば英数字の組合せにより表される。発行物名は、発行物の名称である。発行物名は、例えば発行物が雑誌の場合、雑誌のタイトル等である。発行年月日は、発行物が発行される年月日である。
【００３６】
発行物情報テーブル２３２に記憶される商品情報は、発行物情報テーブル２３２に係る発行物に掲載された広告に含まれる商品の情報である。発行物情報テーブル２３２は、商品情報として、ページ番号、ページ画像、商品名、商品画像、商品識別番号、メーカー名、値段、販売店舗情報等を記憶する。ページ番号は、広告が掲載されたページの番号である。ページ画像は、各ページ番号に印刷された画像である。商品名、商品識別番号及びメーカー名については、上記ユーザ情報テーブル２３１の説明において記載した通りである。商品画像は、商品に関する画像であり、例えば商品を撮像した画像である。値段は、商品の値段であり、例えばメーカーの希望小売価格等である。販売店舗情報は、商品を販売する実店舗に関する情報である。販売店舗情報は、例えば小売店の名称、小売店の所在地、小売店の所在地を示す地図等の情報を含んでいてもよい。図３に示すように、商品情報は、商品が掲載された広告のページごとに分類されて、ページ画像に対応付けて記憶される。
【００３７】
ビーコンＩＤテーブル２３３は、ビーコンＩＤ情報を記憶する。ビーコンＩＤは、各ビーコン装置４００に一意に対応付けられた情報であり、例えば英数字の組合せにより表される。ビーコンＩＤテーブル２３３は、例えば図４に示すように、各販売店舗の販売店舗情報と、各販売店舗に設置されたビーコン装置４００のビーコンＩＤとを対応付けて記憶する。
【００３８】
端末装置３００は、例えば本情報処理システム１００で使用される専用の端末又はスマートフォン若しくはタブレット端末等により構成される情報処理装置である。端末装置３００は、端末制御部３１０と、端末通信部３２０と、端末記憶部３３０と、表示部３４０と、入力部３５０と、撮像部３６０と、報知部３７０とを備える。端末通信部３２０、端末記憶部３３０、表示部３４０、入力部３５０、撮像部３６０及び報知部３７０は、端末制御部３１０に接続されている。
【００３９】
端末制御部３１０は、端末装置３００の各機能ブロックをはじめとして、端末装置３００の全体を制御及び管理するプロセッサである。端末制御部３１０は、制御手順を規定したプログラムを実行するＣＰＵ等のプロセッサで構成され、かかるプログラムは、例えば端末記憶部３３０又は外部の記憶媒体等に格納される。ユーザの操作に基づいて端末制御部３１０が実行する処理の詳細については後述する。
【００４０】
端末通信部３２０は、ネットワーク１１０と接続することによりサーバ装置２００との間でデータの送受信を行う。例えば、端末通信部３２０は、サーバ装置２００から送信された専用アプリケーションを実行するためのプログラムを受信する。また、端末通信部３２０は、サーバ装置２００から送信された、専用アプリケーションの最新情報であるページ画像、商品情報及びビーコンＩＤ情報を受信する。また、端末通信部３２０は、ユーザの操作に基づいて端末装置３００が実行した処理に関する情報をサーバ装置２００に送信する。
【００４１】
また、端末通信部３２０は、ビーコン装置４００から発信されるビーコン信号を受信する。
【００４２】
端末記憶部３３０は、多様なメモリデバイスを有し、用途に応じてそれぞれ各種情報、例えば端末制御部３１０の動作に必要なデータ等を記憶する。また、端末記憶部３３０は、ワークメモリとして機能するＲＡＭ等のデバイスも有する。本実施形態において、端末記憶部３３０は、例えば端末通信部３２０が受信した、情報処理システム１００において使用される専用アプリケーションに関するプログラムを記憶する。また、端末記憶部３３０は、端末通信部３２０が受信したページ画像、商品情報及びビーコンＩＤ情報を記憶する。また、端末記憶部３３０は、選択リストを記憶していてもよい。
【００４３】
表示部３４０は、液晶ディスプレイ、有機ＥＬディスプレイ、又は無機ＥＬディスプレイ等の表示デバイスである。表示部３４０は、ユーザの操作に基づいて端末制御部３１０が実行する処理の内容に応じて、各種情報を表示する。
【００４４】
入力部３５０は、端末装置３００のユーザからの操作入力を受け付ける。入力部３５０は、例えば操作ボタン（操作キー）から構成されている。端末装置３００がタッチパネルを有する場合には、タッチパネルが、ユーザの指及びスタイラスペン等の接触を検出して操作入力を受け付けることにより、入力部３５０として機能してもよい。
【００４５】
撮像部３６０は、例えばデジタルカメラ等により構成される。撮像部３６０は、ユーザの操作入力に基づいて、発行物のページの画像を撮像する。
【００４６】
報知部３７０は、端末装置３００が選択リストに登録された商品の販売店舗の近傍に存在する場合に、ユーザに対して報知を行う。ユーザは、報知部３７０からの報知により、自ら選択リストに登録した商品の販売店舗が、現在のユーザの位置の近傍に存在することを認識できる。なお、本実施形態では、端末装置３００が選択リストに登録された商品の販売店舗の近傍に存在するか否かは、端末装置３００がビーコン装置４００から発信されるビーコン信号を取得できるか否かにより判断される。つまり、本実施形態における近傍は、端末装置３００がビーコン装置４００からのビーコン信号を受信できる範囲をいう。
【００４７】
報知部３７０は、例えば、画像、文字若しくは発光等による視覚的な方法、音声等の聴覚的な方法、又はそれらの組み合わせにより報知を行うことができる。報知部３７０は、視覚的な方法で報知を行う場合、例えば、表示デバイスとして、画像又は文字を表示することにより報知を行う。報知部３７０は、例えば、ＬＥＤ等の発光素子を発光させることにより報知を行ってもよい。報知部３７０は、聴覚的な方法で報知を行う場合、例えば、スピーカ等の音発生デバイスとして、アラーム音や音声ガイド等を出力することにより報知を行う。なお、報知部３７０が行う報知は、視覚的又は聴覚的な方法に限られず、ユーザが認識可能な任意の方法であればよい。
【００４８】
ビーコン装置４００は、各販売店舗に設置される。ビーコン装置４００は、周期的に周囲にビーコン信号を発信する装置である。ビーコン装置４００は、ビーコンＩＤ記憶部４１０と、発信部４２０とを備える。ビーコンＩＤ記憶部４１０は、ビーコン装置４００に対応付けられたビーコンＩＤを記憶する。発信部４２０は、ビーコンＩＤ記憶部４１０に記憶されたビーコンＩＤをビーコン信号に載せて、ビーコン信号を発信する。
【００４９】
次に、ユーザの操作入力に基づいて端末制御部３１０が実行する処理の詳細について、ユーザが行う入力操作の例を含めて説明する。ここでは、ユーザは、予めユーザ登録を完了させており、また、端末装置３００の端末記憶部３３０には、最新のページ画像、商品情報及びビーコンＩＤ情報が記憶されているとして説明する。
【００５０】
ユーザは、発行された雑誌を閲覧し、雑誌に含まれる広告の中で、購入を希望する商品、詳細な情報を閲覧したい商品、又は購入の検討をしたい商品等を発見した場合、端末装置３００の撮像部３６０を起動する。そして、ユーザは、撮像部３６０により、購入を希望する商品、詳細な情報を閲覧したい商品、又は購入の検討をしたい商品等が掲載されたページを撮像する。撮像部３６０により撮像された撮像画像は、端末記憶部３３０に記憶される。
【００５１】
次に、端末制御部３１０は、端末記憶部３３０に記憶されたページ画像のうち、撮像された撮像画像に対応するページ画像を決定する。具体的には、端末制御部３１０は、周知の画像解析技術を用いて、撮像画像とページ画像とを比較し、画像の一致度を算出することにより、撮像画像に対応するページ画像を決定する。
【００５２】
そして、端末制御部３１０は、決定したページ画像に対応付けられた商品の概略商品情報、つまり、ユーザが撮像部３６０を使用して撮像したページに掲載された商品の概略商品情報を表示部３４０に表示する。ここで表示部３４０に表示される画面を、本明細書では「商品一覧画面」とも称する。
【００５３】
図５は、表示部３４０が表示する商品一覧画面の一例を示す図である。図５に示すように、商品一覧画面には、端末制御部３１０が決定したページ画像を含む発行物の発行物名と、ページ画像に対応するページ番号と、概略商品情報と、が表示される。すなわち、商品一覧画面に表示される発行物名とページ番号とは、表示部３４０に表示された概略商品情報が掲載されている発行物名とページ番号とを示している。商品一覧画面には、概略商品情報として、例えば図５に示すように、商品情報のうち、商品画像と、商品名と、商品のメーカー名と、商品の値段とが表示される。また、各商品の概略商品情報の下方に、詳細閲覧ボタン３４１と、リスト登録ボタン３４２と、購入ボタン３４３とが表示される。ユーザは、表示部３４０のファーストビュー内に表示されていない商品の概略商品情報を閲覧したい場合には、例えば表示部３４０にスワイプ操作又はスクロール操作等を行って、ファーストビュー内に表示されていない商品の概略商品情報を表示部３４０に表示させることができる。
【００５４】
ユーザは、図５に示す商品一覧画面に表示されたいずれかの商品の詳細情報の閲覧を希望する場合、詳細情報の閲覧を希望する商品の詳細閲覧ボタン３４１に対して、タップ操作又はクリック操作等を行う。ユーザのタップ操作又はクリック操作等の操作入力に基づき、端末制御部３１０は、選択された商品の詳細商品情報を表示部３４０に表示させる。ここで表示部３４０に表示される画面を、本明細書では「詳細情報画面」とも称する。
【００５５】
図６は、表示部３４０が表示する詳細情報画面の一例を示す図である。図６に示すように、詳細情報画面には、ユーザが選択した商品が掲載されている発行物の発行物名と、ページ画像に対応するページ番号と、詳細商品情報と、が表示される。図６に示す例では、詳細商品情報として、商品画像と、商品名と、商品のメーカー名と、商品の値段と、商品の販売店舗情報とが表示される。販売店舗情報は、例えば販売店舗名と、販売店舗の電話番号と、販売店舗の所在地を示す地図とを含む。ユーザは、販売店舗の電話番号に電話をかけて問合せを行ったり、販売店舗の所在地を示す地図を参照して、商品を実際に見に行ったり買いに行ったりすることができる。また、詳細商品情報の可能に、リスト登録ボタン３４２と、購入ボタン３４３とが表示される。
【００５６】
ユーザは、図５に示す商品一覧画面に表示されたいずれかの商品、又は図６に示す詳細情報画面に表示された商品を、選択リストに登録することを希望する場合、選択リストに登録する商品のリスト登録ボタン３４２に対して、タップ操作又はクリック操作等を行う。ユーザのタップ操作又はクリック操作等の操作入力に基づき、端末制御部３１０は、選択された商品を、選択リストに登録して、端末記憶部３３０に記憶させる。また、端末制御部３１０は、商品の選択リストへの登録が選択されたことを示す情報を、端末通信部３２０からサーバ装置２００に送信する。サーバ装置２００が当該情報を受信すると、サーバ制御部２１０は、商品の選択リストへの登録を選択したユーザに対応するユーザ情報テーブル２３１の選択リストに、登録された商品の情報を登録する。
【００５７】
ユーザは、選択リストを閲覧するための所定の操作を行うことにより、表示部３４０に自ら選択リストに登録した商品の一覧を表示させて、選択リストに登録した商品を閲覧することができる。選択リスト画面を表示する際に、端末制御部３１０は、端末記憶部３３０に記憶された商品情報のうち、選択リストに登録された商品に関する情報を参照して、選択リスト画面を生成し、表示部３４０に表示させる。選択リストに登録した商品の一覧を表示する画面を、本明細書では「選択リスト画面」とも称する。
【００５８】
図７は、表示部３４０が表示する選択リスト画面の一例を示す図である。図７に示すように、選択リスト画面には、選択リストに登録された商品に関する情報が一覧形式で表示される。ここで表示部３４０に表示される商品に関する情報は、例えば商品一覧画面表示された情報と同一の内容である。つまり、選択リスト画面には、商品画像、商品名、メーカー名、値段等の概略商品情報と、商品が掲載された発行物名及びページ番号とが含まれる。また、各商品に関する情報の下方には、詳細閲覧ボタン３４１と、購入ボタン３４３と、リスト解除ボタン３４４とが表示される。
【００５９】
ユーザが詳細閲覧ボタン３４１をタップ操作又はクリック操作等により選択した場合、表示部３４０には、例えば図６に示す詳細情報画面が表示され、ユーザは、詳細商品情報を閲覧することができる。
【００６０】
選択リスト画面において、ユーザが、リスト解除ボタン３４４をタップ操作又はクリック操作等により選択した場合、端末制御部３１０は、リスト解除ボタン３４４が選択された商品を、端末記憶部３３０に記憶された選択リストから削除する。また、端末制御部３１０は、商品の選択リストからの解除が選択されたことを示す情報を、端末通信部３２０からサーバ装置２００に送信する。サーバ装置２００が当該情報を受信すると、サーバ制御部２１０は、商品の選択リストからの削除を選択したユーザに対応するユーザ情報テーブル２３１の選択リストから、登録された商品の情報を削除する。
【００６１】
ユーザは、図５に示す商品一覧画面に表示されたいずれかの商品、図６に示す詳細情報画面に表示された商品、又は図７に示す選択リスト画面に表示されたいずれかの商品の納入を希望する場合、購入を希望する商品の購入ボタン３４３に対して、タップ操作又はクリック操作等を行う。この操作に基づき、端末通信部３２０は、ネットワークを介して、オンラインで商品を購入できるウェブサイトにアクセスし、表示部３４０に、オンラインで商品を購入可能なオンラインショッピングサイトの画面が表示される。ユーザは、表示部３４０に表示されたオンラインショッピングサイトの画面から、所定の購入操作及び手続を行うことにより、商品を購入することができる。
【００６２】
端末制御部３１０は、上述の処理を行うたびに、行った処理に関する情報を、端末通信部３２０からサーバ装置２００に送信する。サーバ装置２００では、端末装置３００が行った処理に関する情報をサーバ通信部２２０から取得すると、サーバ制御部２１０が、端末装置３００に対応付けられたユーザのユーザ情報テーブル２３１に処理履歴として記憶する。
【００６３】
ここで、情報処理システム１００が実行する情報処理の一例について、図８を参照して説明する。
【００６４】
まず、管理者は、発行者から取得した発行物に掲載する広告に関する情報に基づき、ページ画像と商品情報とを、サーバ装置２００に登録することによって、サーバ記憶部２３０に記憶させる（ステップＳ１０１）。ステップＳ１０１において、管理者は、例えば新たにビーコンを設置した販売店舗がある等の事情によっては、必要に応じて、ビーコンＩＤ情報もサーバ記憶部２３０に記憶させる。
【００６５】
そして、サーバ装置２００は、サーバ通信部２２０から、管理者が設定した所定のタイミングで、サーバ記憶部２３０に記憶されたページ画像、商品情報及びビーコンＩＤ情報についての最新情報を、端末装置３００に配信する（ステップＳ１０２）。
【００６６】
端末装置３００では、端末制御部３１０が、ステップＳ１０２においてサーバ装置２００から配信された最新情報を受信すると、受信したページ画像、商品情報及びビーコンＩＤ情報を端末記憶部３３０に記憶させる（ステップＳ１０３）。
【００６７】
次に、ユーザは、端末装置３００の撮像部３６０を使用して、発行物に掲載された所定のページの広告を撮像する（ステップＳ１０４）。
【００６８】
端末制御部３１０は、画像解析技術を用いて、ステップＳ１０４で撮像部３６０が撮像した画像と、端末記憶部３３０に記憶されたページ画像とを比較して、撮像画像に対応するページ画像を決定する（ステップＳ１０５）。
【００６９】
そして、端末制御部３１０は、ステップＳ１０５で決定したページ画像のページに含まれる商品に関する概略商品情報を、表示部３４０に表示する（ステップＳ１０６）。
【００７０】
端末制御部３１０は、ステップＳ１０６で実行した処理に関する情報を、端末通信部３２０からサーバ装置２００に送信する（ステップＳ１０７）。
【００７１】
サーバ装置２００では、ステップＳ１０７で端末装置３００から送信された処理に関する情報を受信すると、サーバ制御部２１０が、受信した処理に関する情報をサーバ記憶部２３０に記憶させる（ステップＳ１０８）。
【００７２】
次に、ユーザが詳細閲覧ボタン３４１を選択する操作を行った場合、ユーザによる入力部３５０への操作入力に基づき、端末制御部３１０は、選択された商品の詳細商品情報を表示部３４０に表示する（ステップＳ１０９）。
【００７３】
端末制御部３１０は、ステップＳ１０９で実行した処理に関する情報を、端末通信部３２０からサーバ装置２００に送信する（ステップＳ１１０）。
【００７４】
サーバ装置２００では、ステップＳ１１０で端末装置３００から送信された処理に関する情報を受信すると、サーバ制御部２１０が、受信した処理に関する情報をサーバ記憶部２３０に記憶させる（ステップＳ１１１）。
【００７５】
次に、ユーザがリスト登録ボタン３４２を選択する操作を行った場合、ユーザによる入力部３５０への操作入力に基づき、端末制御部３１０は、選択された商品を選択リストに登録して端末記憶部３３０に記憶させる処理を実行する（ステップＳ１１２）。
【００７６】
端末制御部３１０は、ステップＳ１１２で実行した処理に関する情報を、端末通信部３２０からサーバ装置２００に送信する（ステップＳ１１３）。
【００７７】
サーバ装置２００では、ステップＳ１１３で端末装置３００から送信された処理に関する情報を受信すると、サーバ制御部２１０が、受信した処理に関する情報をサーバ記憶部２３０に記憶させる（ステップＳ１１４）。
【００７８】
次に、ユーザが選択リストを表示部３４０に表示させる操作を行った場合、ユーザによる入力部３５０への操作入力に基づき、端末制御部３１０は、選択リストを表示部３４０に表示させる処理を実行する（ステップＳ１１５）。
【００７９】
端末制御部３１０は、ステップＳ１１５で実行した処理に関する情報を、端末通信部３２０からサーバ装置２００に送信する（ステップＳ１１６）。
【００８０】
サーバ装置２００では、ステップＳ１１６で端末装置３００から送信された処理に関する情報を受信すると、サーバ制御部２１０が、受信した処理に関する情報をサーバ記憶部２３０に記憶させる（ステップＳ１１７）。
【００８１】
次に、ユーザが購入ボタン３４３を選択する操作を行った場合、ユーザによる入力部３５０への操作入力に基づき、端末制御部３１０は、オンラインショッピングサイトの画面を表示部３４０に表示させる処理を実行する（ステップＳ１１８）。ユーザは、表示部３４０に表示されたオンラインショッピングサイトの画面から、商品を購入するための所定の入力を行うことによって、商品を購入することができる。
【００８２】
端末制御部３１０は、ステップＳ１１８で実行した処理に関する情報を、端末通信部３２０からサーバ装置２００に送信する（ステップＳ１１９）。端末制御部３１０は、ユーザが行った商品を購入するための操作入力に基づいて、商品を購入するための所定の処理を行った場合には、かかる処理に関する情報もサーバ装置２００に送信してもよい。
【００８３】
サーバ装置２００では、ステップＳ１１９で端末装置３００から送信された処理に関する情報を受信すると、サーバ制御部２１０が、受信した処理に関する情報をサーバ記憶部２３０に記憶させる（ステップＳ１２０）。
【００８４】
次に、報知部３７０による報知の詳細について説明する。報知部３７０が報知を行うためには、ユーザが選択リストに商品を登録していることが前提となる。ビーコン装置４００は、各販売店舗に設置されており、周期的にビーコン信号を発信している。端末装置３００では、端末通信部３２０がビーコン信号を受信すると、端末制御部３１０が、ビーコン信号に含まれるビーコンＩＤを特定する。
【００８５】
端末制御部３１０は、ビーコンＩＤを特定すると、端末記憶部３３０が記憶するビーコンＩＤ情報に基づき、ビーコンＩＤに対応する販売店舗情報を特定する。次に、端末制御部３１０は、端末記憶部３３０に記憶された商品情報を参照し、選択リストに登録されている商品に、特定した販売店舗情報に対応する商品、つまり特定した販売店舗で販売されている商品が含まれるか否かを判断する。端末制御部３１０は、選択リストに登録されている商品に、特定した販売店舗情報に対応する商品が含まれていると判断した場合には、報知部３７０から報知を行う。
【００８６】
ユーザは、報知に基づき、自らが選択リストに登録した商品を販売する販売店舗が、現在ユーザがいる位置の周囲（少なくとも端末装置３００がビーコン信号を受信できる距離）に存在することを知ることができる。そして、ユーザは、登録した商品の購入を希望する場合には、販売店舗に向かうことができる。このとき、端末装置３００は、表示部３４０に、特定した販売店舗情報、例えば販売店舗の所在地を示す地図を表示してもよい。これによって、ユーザは、すぐに販売店舗の位置を知ることができる。また、端末装置３００は、表示部３４０に特定した販売店舗で販売されている商品であって、登録リストに登録されている商品を表示してもよい。これによって、ユーザは、登録リストに登録された商品のうち、どの商品を販売する店舗が周囲にあるのかをすぐに知ることができる。
【００８７】
次に、端末装置３００によるユーザへの報知を実行する処理の一例について、図９に示すフローチャートを参照しながら説明する。
【００８８】
まず、端末装置３００は、ビーコン装置４００から発信されるビーコン信号を端末通信部３２０で受信する（ステップＳ２０１）。
【００８９】
次に、端末装置３００では、端末制御部３１０が、ステップＳ２０１で受信したビーコン信号に含まれるビーコンＩＤを特定する（ステップＳ２０２）。
【００９０】
そして、端末制御部３１０は、端末記憶部３３０に記憶されたビーコンＩＤ情報を参照して、ステップＳ２０２で特定したビーコンＩＤに対応する販売店舗を決定する（ステップＳ２０３）。
【００９１】
次に、端末制御部３１０は、端末記憶部３３０に記憶された商品情報を参照して、選択リストに登録されている商品に、ステップＳ２０３で特定した販売店舗に対応する商品が含まれているか否かを判断する（ステップＳ２０４）。
【００９２】
端末制御部３１０は、選択リストに登録されている商品に、ステップＳ２０３で特定した販売店舗に対応する商品が含まれていないと判断した場合（ステップＳ２０４のＮｏ）、このフローを終了する。
【００９３】
一方、端末制御部３１０は、選択リストに登録されている商品に、ステップＳ２０３で特定した販売店舗に対応する商品が含まれていると判断した場合（ステップＳ２０４のＹｅｓ）、報知部３７０から報知を行う（ステップＳ２０５）。
【００９４】
また、端末制御部３１０は、表示部３４０に、ステップＳ２０３で特定した販売店舗の地図を表示する（ステップＳ２０６）。なお、ステップＳ２０６では、地図に限らず、決定した販売店舗に関する他の情報、又は決定した販売店舗で販売されている商品であって、登録リストに登録されている商品に関する情報を表示してもよい。
【００９５】
以上説明したように、本実施形態に係る情報処理システム１００によれば、撮像部３６０が撮像した発行物の撮像画像に基づいて、端末制御部３１０が撮像画像として撮像された発行物のページ番号を決定し、当該ページに掲載された商品の概略商品情報を表示部３４０に表示する。そのため、ユーザは、情報を得たい商品が掲載されたページの画像を撮像することにより、簡便に商品についての情報を閲覧することができる。そのため、情報処理システム１００によれば、利便性が向上する。また、表示部には、撮像されたページに対応付けられた商品の情報が掲載されるため、例えば撮像されたページに掲載された商品のメーカーがそれぞれ異なっていても、これらの商品の情報が全て表示部３４０に表示される。このようにして多様なメーカーの商品が、メーカーごとに分類されることなくユーザに対して提示されるため、ユーザが知らなかったメーカー又は興味がなかったメーカーの商品であっても、ユーザに対して提示される。そのため、メーカーにとっては、ユーザに認識される機会を得ることができる。つまり、メーカーにとっては、自社の商品を認識させる機会が増加する。
【００９６】
また、情報処理システム１００によれば、ユーザは、詳細閲覧ボタン３４１を選択する操作を行うことにより、特定の商品の詳細情報を閲覧することができる。そのため、発行物に掲載された商品の詳細情報を簡便に閲覧することができる。そのため、情報処理システム１００によれば、利便性が向上する。
【００９７】
また、情報処理システム１００によれば、ユーザは、所定の商品を選択リストに登録することができる。ユーザは、選択リストを表示部３４０に表示させる操作を行うことにより、選択リストに登録された商品を容易に確認することができるため、購入を希望する商品、詳細な情報を閲覧したい商品、又は購入の検討をしたい商品等を、選択リストに登録することによって、これらの商品を時間が経過した後であっても容易に確認することができる。また、このようにして選択リストに登録された商品については、この商品を販売する販売店舗からユーザが所定の範囲内に存在する場合に、ビーコン信号を利用して、販売店舗が存在することを示すことがユーザに報知される。そのため、ユーザは、選択リストに登録した商品の販売店舗から所定の範囲内に近づいた場合に、報知を確認した後、販売店舗を訪問して、商品を見学したり購入したりできる。
【００９８】
また、情報処理システム１００によれば、ユーザは、商品一覧画面、詳細情報画面及び選択リスト画面等から、商品を購入するためのオンラインショッピングサイトを簡単に表示させることができるため、容易にオンラインで商品を購入することができる。
【００９９】
また、情報処理システム１００によれば、端末制御部３１０が実行した処理についての情報が、サーバ装置２００に送信され、サーバ記憶部２３０のユーザ情報テーブル２３１に記憶される。このようにして端末制御部３１０が実行した処理についての情報を蓄積することにより、ユーザが端末装置３００に対して入力した操作の履歴を得ることができる。そのため、この履歴を分析することにより、各ユーザが、例えばどのような時間帯に、どのような商品を、どのような頻度で閲覧したり購入したりしているかという情報を得ることができ、分析結果を商品開発やマーケティングに活用することができる。
【０１００】
以上、本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【０１０１】
例えば、各構成部、各ステップ等に含まれる機能等は論理的に矛盾しないように再配置可能であり、複数の構成部やステップ等を1つに組み合わせたり、或いは分割したりすることが可能である。
【０１０２】
上記実施形態では、一例として、発行物が雑誌の場合について説明したが、発行物は雑誌に限られず、例えば新聞及び書籍等の他の発行物であってもよい。また、上記実施形態では、雑誌に掲載された広告のページについて、所定の情報処理によって、ユーザに商品情報を提供することを説明したが、商品情報は、広告のページに掲載された商品についての情報に限られない。情報処理システム１００は、例えば、雑誌の全ページに掲載された商品について、上記実施形態の説明で記載した方法により、ユーザに商品情報を提供してもよい。これにより、ユーザは、雑誌に掲載されたあらゆる商品について商品情報を得ることができる。
【０１０３】
また、上記実施形態では、報知部３７０が報知を行うための端末装置３００と販売店舗との所定の範囲は、端末装置３００がビーコン信号を受信可能な範囲によって定められることを説明したが、所定の範囲の決定方法は、これに限られない。例えば、端末装置３００は、端末装置３００の位置を取得する位置情報取得部を備えており、位置情報取得部が取得した端末装置３００の位置が、販売店舗から所定の距離（例えば２００ｍ以内）にある場合に、報知部３７０から報知を行ってもよい。位置情報取得部は、例えば、ＧＰＳ（Global Positioning System）機能を使用して端末装置３００の位置を取得することができる。
【０１０４】
また、上記実施形態では、サーバ制御部２１０は、ページ画像と撮像画像とを比較してページを決定すると説明したが、ページの決定方法はこれに限られない。例えば、発行物の各ページに、電子透かしを埋め込んだりＱＲコード（登録商標）等を予め印刷したりしておき、サーバ制御部２１０は、撮像された発行物の電子透かしやＱＲコード（登録商標）を読み取って、予めサーバ記憶部２１０に記憶された情報と比較することにより、ページを決定してもよい。
【０１０５】
また、例えば発行者が商品に関する全ての情報を有していない等の事情により、発行物に掲載された商品の一部の情報が欠落している場合、管理者は、発行物情報テーブル２３２に記憶される情報を自ら追記する等して補ってもよい。このように欠落する情報を管理者が補うことにより、ユーザに提供される情報が欠落することを防止しやすくなる。
【０１０６】
例えば、発行者が、モデルが着用した状態の商品の写真を有しているが、商品のみの写真に関するデータを有していない場合、管理者は商品のみの写真を自ら撮影し、サーバ装置２００に記憶させることで、情報を補ってもよい。この場合、管理者は、例えばトラック（車両）の荷台部分に簡便な撮影スタジオを設け、このトラックで、雑誌のページの写真制作が行われている現場、所定の写真を制作するために必要な製品の提供を担当するスタイリストの事務所、又は商品を販売している店舗まで移動し、移動先のスタイリストの事務所又は店舗等で入手した商品を撮影スタジオで撮影することができる。このようにトラックに撮像スタジオを設けることにより、簡単に、写真制作現場、製品を担当するスタイリストの事務所又は商品の販売店舗等に移動して、写真を撮影することができるため、商品の写真に関する情報をスムーズに発行物情報テーブル２３３に格納しやすくなる。
【符号の説明】
【０１０７】
１００  情報処理システム
１１０  ネットワーク
２００  サーバ装置
２１０  サーバ制御部
２２０  サーバ通信部
２３０  サーバ記憶部
２３１  ユーザ情報テーブル
２３２  発行物情報テーブル
２３３  ビーコンＩＤテーブル
３００  端末装置
３１０  端末制御部
３２０  端末通信部
３３０  端末記憶部
３４０  表示部
３４１  詳細閲覧ボタン
３４２  リスト登録ボタン
３４３  購入ボタン
３４４  リスト解除ボタン
３５０  入力部
３６０  撮像部
３７０  報知部
４００  ビーコン装置
４１０  ビーコンＩＤ記憶部
４２０  発信部
【図１】
2017058767.tif 000003
【図２】
2017058767.tif 000004
【図３】
2017058767.tif 000005
【図４】
2017058767.tif 000006
【図５】
2017058767.tif 000007
【図６】
2017058767.tif 000008
【図７】
2017058767.tif 000009
【図８】
2017058767.tif 000010
【図９】
2017058767.tif 000011